【事件の表示】
　平成　９年特許願第１５０２０９号「電子内視鏡」拒絶査定に対する審判事件〔平成１０年　３月１７日出願公開、特開平１０−　７５４４１、請求項の数（４）〕について、次のとおり審決する。
【結　論】
　原査定を取り消す。
　本願の発明は、特許すべきものとする。
【理　由】
１．手続きの経緯、本願発明
　本願は、平成９年５月２３日（優先権主張平成８年５月２４日）の出願であって、その請求項１ないし４に係る発明は、平成１５年７月２８日付け手続補正書により補正された明細書および図面の記載からみて、特許請求の範囲の請求項１ないし４に記載されたとおりのものであると認める。
　「【請求項１】　光学的被写体像からアナログビデオ信号を作成する固体撮像手段を持つスコープと、このスコープを着脱自在に接続させる画像信号処理部とを具備し、前記画像信号処理部には前記固体撮像手段から得られるアナログビデオ信号を順次デジタルビデオ信号に変換するアナログ／デジタル変換手段が設けられ、前記スコープには前記アナログ／デジタル変換手段でアナログビデオ信号をデジタルビデオ信号に変換する際のサンプリング周波数情報を記憶するメモリ手段が設けられている電子内視鏡において、
　前記画像信号処理部は、更に、前記メモリ手段からサンプリング周波数情報を読み出して、接続されているビデオスコープの固体撮像手段に応じたサンプリング周波数を確認するためのサンプリング周波数確認手段と、このサンプリング周波数確認手段で確認されたサンプリング周波数とは異なったデジタルビデオ信号の標準化規格による外部出力周波数のクロックパルスでデジタルビデオ信号を外部に出力させるべく該デジタルビデオ信号に画素数変換処理を施す画素数変換処理手段とが設けられ、
　前記サンプリング周波数確認手段が、
　前記アナログ／デジタル変換手段において前記固体撮像手段に応じたサンプリング周波数でデジタルビデオ信号に変換するため、前記サンプリング周波数を確認するとともに、
　前記外部出力周波数に対する前記サンプリング周波数の大小を判別するために、前記サンプリング周波数を確認し、
　前記画素数変換処理手段が、
　前記サンプリング周波数が前記外部出力周波数より大きい場合、前記デジタルビデオ信号に対して間引き処理を施し、
　前記サンプリング周波数が前記外部出力周波数より小さい場合、前記デジタルビデオ信号に対して補間処理を施すことを特徴とする電子内視鏡。
　【請求項２】ないし【請求項４】（略）」
　
２．引用例
（１）　原審の拒絶理由で引用された特開平０７−３２７９２４号公報（以下、「引用例１」という。）には、次の事項が記載されている。
（ア）電子内視鏡において画像数を変換すること。
（イ）電子内視鏡のスコープ内に画素数の少ない固体撮像素子が設けられており、この画素数の少ない撮像素子による撮影から高解像度の映像を表示するため、補間処理が水平補間回路および垂直補間回路において施されること。
（２）　同じく引用された特開平０４−２６５０８４号公報（以下、「引用例２」という。）には、次の事項が記載されている。
（ア）画素数変換処理として間引き処理を行うこと。
（イ）ＣＣＤの画素数とサンプリング周波数の対応関係。
（ウ）電子スチルカメラ等で撮影された画像を外部モニタで表示する際に画像データの変換を実行することが示され、具体的には、パソコン表示規格のサンプリング周波数（１２ＭＨｚ）がＣＣＤの画素数に対応するサンプリング周波数（１４．３ＭＨｚ、１３．５ＭＨｚ）より小さいことから、デジタル信号に対して間引き処理が演算回路において施されること。
（３）　同じく引用された特開平０６−０４６４３３号公報（以下、「引用例３」という。）には、次の事項が記載されている。
（ア）デジタルコンポーネントビデオ信号を得る変換処理を行うこと。
（イ）手ブレ補正機能を備えた撮像装置が開示されており、補間回路において補間処理が施されること。
（４）　同じく引用された特開昭６３−１５３０３９号公報（以下、「引用例４」という。）には、次の事項が記載されている。
（ア）電子内視鏡には、観察部位に応じて挿入部の径が異なる各種のタイプの電子内視鏡が存在し、各種電子式内視鏡には挿入部の径に応じた画素数の固体撮像素子が内蔵されること。
（イ）内視鏡がコネクタを備え、電子式内視鏡制御ユニットに装着されること。
（ウ）電子式内視鏡制御ユニット内のビデオプロセッサは、各種タイプの電子式内視鏡に内蔵された固体撮像素子の駆動条件及び固体撮像素子からのビデオ信号を抽出する条件を固体撮像素子の特性に応じて変更する条件変更回路を設けていること。
（エ）電子内視鏡のタイプを認識するメモリを、内視鏡コネクタに設け、電子式内視鏡制御ユニットのＲＯＭ読出回路がタイプ情報を読み出し、タイプ情報により切換スイッチが切り換えられること。
（５）　前置審査で、一般に、外部出力手段を設けることは周知慣用手段であり、また、入力機器のサンプリング周波数を出力サンプリング周波数に合わせて変換することは周知技術であるとして、特開平０５−２５２１１９号公報（以下、「引用例５」という。第１図参照）が例示された。上記引用例５には、オーディオ信号を例として、音声や画像等のディジタル信号処理において、サンプリング周波数を変換するための装置が記載されている。
　
３．対比、判断
　本願の請求項１に係る発明と引用例４に記載された発明とを対比すると、引用例４に記載された発明は、本願の請求項１に係る発明の主要な事項である次の事項（ア）を備えていないし、これを示唆する記載もない。
　（ア）スコープにはスコープのタイプ情報を記憶するメモリ手段が設けられている電子内視鏡において、
（ア１）上記「情報」として、「アナログ／デジタル変換手段でアナログビデオ信号をデジタルビデオ信号に変換する際のサンプリング周波数情報」を記憶し、
（ア２）「画像信号処理部」には、「サンプリング周波数情報を読み出して、接続されているビデオスコープの固体撮像手段に応じたサンプリング周波数を確認するためのサンプリング周波数確認手段と、このサンプリング周波数確認手段で確認されたサンプリング周波数とは異なったデジタルビデオ信号の標準化規格による外部出力周波数のクロックパルスでデジタルビデオ信号を外部に出力させるべく該デジタルビデオ信号に画素数変換処理を施す画素数変換処理手段」とが設けられ、「サンプリング周波数確認手段」が、「前記アナログ／デジタル変換手段において前記固体撮像手段に応じたサンプリング周波数でデジタルビデオ信号に変換するため、前記サンプリング周波数を確認するとともに、前記外部出力周波数に対する前記サンプリング周波数の大小を判別するために、前記サンプリング周波数を確認し」、「画素数変換処理手段」が、「前記サンプリング周波数が前記外部出力周波数より大きい場合、前記デジタルビデオ信号に対して間引き処理を施し、前記サンプリング周波数が前記外部出力周波数より小さい場合、前記デジタルビデオ信号に対して補間処理を施す」こと。
　一方、固体撮像素子で得た画素数データを変換する技術として、間引き処理や補間処理の画素数変換技術は、引用例１，２，３に記載されている。
　また、デジタル信号処理において、サンプリング周波数を変換する技術は、引用例５に記載されている。
　しかし、引用例１、２、３及び５にも、上記事項（ア）の構成について記載がなく示唆もない。
　すなわち、電子内視鏡において、デジタルビデオ信号の標準化規格による外部出力周波数に対する固体撮像手段に応じたサンプリング周波数の大きさを比較・判別するという技術課題が、引用例のいずれにも開示されていない。そして、本願発明の主要事項である上記（ア）の特に、サンプリング周波数情報をメモリ手段から読み出し、接続されているビデオスコープの固体撮像手段に応じたサンプリング周波数を確認するためのサンプリング周波数確認手段において、デジタルビデオ信号の標準化規格による外部出力周波数に対する前記サンプリング周波数の大小を判別することにより、この判別に応じて、画素数変換処理手段が、デジタルビデオ信号に対して間引き処理あるいは補間処理を施すことは、当業者が、引用例１ないし５に記載された技術を組み合わせても、容易に想到することができないことである。
　そして、上記事項（ア）により、「映像再現時での画質の劣化を大幅に抑えることが可能である。」及び「回路構成が簡素化され、電子内視鏡の製造コストの増大化も抑えられる。」（「発明の効果」の項）という明細書に記載された顕著な効果を奏するものであるので、本願請求項１に係る発明は、引用例１〜５記載のものから容易に想到し得たとすることはできない。
　また、請求項２ないし４に係る発明は、請求項１を引用する請求項であるので、同様である。
　
４．むすび
　以上のとおりであるから、本願請求項１ないし４に係る発明が引用例に記載された発明から容易に想到できたものであるとする原審や前置報告の理由によっては本願を拒絶することはできない。また、他に本願を拒絶すべき理由を発見しない。
　よって、結論のとおり審決する。